(57)【要約】【課題】ユーザの意図に反して、テレビジョン装置本体が自動的にオフにされるのを抑制することが可能なテレビジョン装置を提供する。【解決手段】このテレビジョン装置（液晶テレビジョン装置１）は、液晶テレビジョン装置本体１１と、液晶テレビジョン装置本体１１の周りの明るさを検出可能な照度センサ１４と、照度センサ１４により検出された明るさに基づいて液晶テレビジョン装置本体１１のオン状態とオフ状態とを切替可能に制御する制御部１５とを備え、液晶テレビジョン装置本体１１のオン状態とオフ状態とを切り替える時間設定を行うことが可能なように構成されている。【選択図】図７
2012175114.tif 000002
【特許請求の範囲】
【請求項１】
テレビジョン装置本体と、
前記テレビジョン装置本体の周りの明るさを検出可能な光検知部と、
前記光検知部により検出された明るさに基づいて前記テレビジョン装置本体のオン状態とオフ状態とを切替可能に制御する制御部とを備え、
前記テレビジョン装置本体の前記オン状態と前記オフ状態とを切り替える時間設定を行うことが可能なように構成されている、テレビジョン装置。
【請求項２】
前記制御部は、前記テレビジョン装置本体の前記オン状態と前記オフ状態とを切り替えるように設定された時間内で、かつ、前記光検知部により検知された明るさが所定の明るさよりも暗くなった場合に、前記テレビジョン装置本体をオン状態からオフ状態に切り替えるように構成されている、請求項１に記載のテレビジョン装置。
【請求項３】
前記光検知部は、前記テレビジョン装置本体が設置された部屋の照明の明るさを検知するように構成されており、
前記制御部は、前記光検知部により検知された前記部屋の照明の明るさが前記部屋の照明を消灯した場合の明るさになった場合に、前記テレビジョン装置本体をオン状態からオフ状態に切り替える制御を行うように構成されている、請求項２に記載のテレビジョン装置。
【請求項４】
前記制御部は、前記光検知部により検知された明るさが前記所定の明るさよりも明るい場合に、前記テレビジョン装置本体をオフ状態からオン状態に切り替えるように構成されている、請求項１〜３のいずれか１項に記載のテレビジョン装置。
【請求項５】
映像を表示する表示部をさらに備え、
前記制御部は、前記光検知部により検出された前記テレビジョン装置本体の周りの明るさが所定の明るさよりも明るいと判断した場合に、前記テレビジョン装置本体をオン状態からオフ状態に切り替えずに、前記光検知部により検出された前記テレビジョン装置本体の周りの明るさに基づいて前記表示部の輝度を調整する制御を行うように構成されている、請求項１〜４のいずれか１項に記載のテレビジョン装置。
【請求項６】
前記光検知部は、照度センサである、請求項５に記載のテレビジョン装置。
【請求項７】
映像を表示する表示部をさらに備え、
映画用の画質で前記表示部に映像を表示可能な映画用画質モードに設定可能に構成されており、
前記制御部は、前記映画用画質モードに設定されている場合には、前記光検知部により検知された明るさが前記所定の明るさよりも暗くなった場合にも、前記テレビジョン装置本体をオン状態からオフ状態に切り替える制御を行わないように構成されている、請求項１〜６のいずれか１項に記載のテレビジョン装置。
【発明の詳細な説明】
【技術分野】
【０００１】
この発明は、テレビジョン装置に関し、特に、テレビジョン装置本体の周りの明るさを検出可能な光検知部を備えるテレビジョン装置に関する。
【背景技術】
【０００２】
従来、テレビジョン装置本体の周りの明るさを検出可能な光検知部を備えるテレビジョン装置が知られている（たとえば、特許文献１参照）。
【０００３】
上記特許文献１には、テレビジョン受像機本体（テレビジョン装置本体）の周囲の明るさを検出可能なセンサ（光検知部）を備え、センサにより検出された明るさに基づいてテレビジョン受像機本体の電源をオンまたはオフに切り替える制御を行うテレビジョン受像機（テレビジョン装置）が開示されている。この特許文献１によるテレビジョン受像機は、所定の時間内に明るさの変化量が所定のしきい値を上回った場合に、テレビジョン受像機本体の電源をオンまたはオフに切り替える制御を行うように構成されている。
【先行技術文献】
【特許文献】
【０００４】
【特許文献１】特開２００８−１０９２７４号公報
【発明の概要】
【発明が解決しようとする課題】
【０００５】
しかしながら、上記特許文献１によるテレビジョン受像機（テレビジョン装置）では、昼間の天候の変化などにより、室内の明るさが急速に変化した場合に、所定の時間内に明るさの変化量が所定のしきい値を上回る場合があると考えられる。この場合には、上記特許文献１によるテレビジョン受像機では、テレビジョン受像機本体の電源が自動的にオンまたはオフにされると考えられるので、ユーザの意図に反して、テレビジョン受像機本体が自動的にオンまたはオフにされる場合があるという問題点がある。
【０００６】
この発明は、上記のような課題を解決するためになされたものであり、この発明の１つの目的は、ユーザの意図に反して、テレビジョン装置本体が自動的にオフにされるのを抑制することが可能なテレビジョン装置を提供することである。
【課題を解決するための手段および発明の効果】
【０００７】
この発明の一の局面によるテレビジョン装置は、テレビジョン装置本体と、テレビジョン装置本体の周りの明るさを検出可能な光検知部と、光検知部により検出された明るさに基づいてテレビジョン装置本体のオン状態とオフ状態とを切替可能に制御する制御部とを備え、テレビジョン装置本体のオン状態とオフ状態とを切り替える時間設定を行うことが可能なように構成されている。
【０００８】
この一の局面によるテレビジョン装置では、上記のように、光検知部により検出された明るさに基づいてテレビジョン装置本体のオン状態とオフ状態とを切替可能に制御する制御部を設けるとともに、テレビジョン装置本体のオン状態とオフ状態とを切り替える時間設定を行うことが可能なように構成することによって、ユーザがテレビジョン装置本体のオン状態とオフ状態とを切り替える時間設定を行った場合には、設定された時間以外の時間で光検知部により検出された明るさが変化した場合にも、テレビジョン装置本体のオン状態とオフ状態とが切り替わることがないので、ユーザの意図に反して、テレビジョン装置本体が自動的にオフにされるのを抑制することができる。
【０００９】
上記一の局面によるテレビジョン装置において、好ましくは、制御部は、テレビジョン装置本体のオン状態とオフ状態とを切り替えるように設定された時間内で、かつ、光検知部により検知された明るさが所定の明るさよりも暗くなった場合に、テレビジョン装置本体をオン状態からオフ状態に切り替えるように構成されている。このように構成すれば、ユーザにより設定された時間内であれば、夜間の消灯時や外出の際にシャッターを閉じた場合などに所定の明るさよりも暗くなると、ユーザがテレビジョン装置本体をオン状態からオフ状態に切り替える操作を行わなくても、自動的にテレビジョン装置本体をオン状態からオフ状態に切り替えることができる。
【００１０】
この場合において、好ましくは、光検知部は、テレビジョン装置本体が設置された部屋の照明の明るさを検知するように構成されており、制御部は、光検知部により検知された部屋の照明の明るさが部屋の照明を消灯した場合の明るさになった場合に、テレビジョン装置本体をオン状態からオフ状態に切り替える制御を行うように構成されている。このように構成すれば、ユーザにより設定された時間内であれば、ユーザが部屋の照明を消灯した際に、部屋の明るさの変化に応じて、自動的にテレビジョン装置本体をオン状態からオフ状態に切り替えることができる。
【００１１】
上記一の局面によるテレビジョン装置において、好ましくは、制御部は、光検知部により検知された明るさが所定の明るさよりも明るい場合に、テレビジョン装置本体をオフ状態からオン状態に切り替えるように構成されている。このように構成すれば、夜間に帰宅した場合に、室内の照明を点灯させることにより、ユーザがテレビジョン装置本体をオフ状態からオン状態に切り替える操作を行うことなく、自動的にテレビジョン装置本体をオフ状態からオン状態に切り替えることができる。
【００１２】
上記一の局面によるテレビジョン装置において、好ましくは、映像を表示する表示部をさらに備え、制御部は、光検知部により検出されたテレビジョン装置本体の周りの明るさが所定の明るさよりも明るいと判断した場合に、テレビジョン装置本体をオン状態からオフ状態に切り替えずに、光検知部により検出されたテレビジョン装置本体の周りの明るさに基づいて表示部の輝度を調整する制御を行うように構成されている。このように構成すれば、テレビジョン装置本体のオン状態とオフ状態とを切り替える制御と、表示部の輝度を調整する制御との両方を共通の光検知部を用いて行うことができるので、従来から存在する表示部の輝度を調整する際に用いる光検知部をテレビジョン装置本体のオン状態とオフ状態とを切り替える際にも用いることができる。その結果、これらの制御をそれぞれ別個の光検知部を用いて行う場合と比べて、部品点数が増加するのを抑制することができる。
【００１３】
この場合において、好ましくは、光検知部は、照度センサである。このように構成すれば、照度センサにより、容易に、テレビジョン装置本体の周りの明るさを検知することができる。
【００１４】
上記一の局面によるテレビジョン装置において、好ましくは、映像を表示する表示部をさらに備え、映画用の画質で表示部に映像を表示可能な映画用画質モードに設定可能に構成されており、制御部は、映画用画質モードに設定されている場合には、光検知部により検知された明るさが所定の明るさよりも暗くなった場合にも、テレビジョン装置本体をオン状態からオフ状態に切り替える制御を行わないように構成されている。このように構成すれば、暗い室内において映画用画質モードで映画コンテンツを視聴する場合に、ユーザの意図に反してテレビジョン装置本体がオン状態からオフ状態に切り替えられるのを防止することができる。
【図面の簡単な説明】
【００１５】
【図１】本発明の一実施形態による液晶テレビジョン装置の構成を説明するための正面図である。
【図２】本発明の一実施形態による液晶テレビジョン装置の構成を説明するためのブロック図である。
【図３】本発明の一実施形態による液晶テレビジョン装置の表示部に表示したメニュー画面を示した図である。
【図４】本発明の一実施形態による液晶テレビジョン装置の表示部に表示した機器設定画面を示した図である。
【図５】本発明の一実施形態による液晶テレビジョン装置の表示部に表示した電源設定画面を示した図である。
【図６】本発明の一実施形態による液晶テレビジョン装置の表示部に表示した時間設定画面を示した図である。
【図７】本発明の一実施形態による液晶テレビジョン装置本体がオン状態である場合の制御部の処理を説明するためのフローチャートである。
【図８】本発明の一実施形態による液晶テレビジョン装置本体がオフ状態である場合の制御部の処理を説明するためのフローチャートである。
【発明を実施するための形態】
【００１６】
以下、本発明を具体化した実施形態を図面に基づいて説明する。
【００１７】
まず、図１および図２を参照して、本発明の一実施形態による液晶テレビジョン装置１の構成について説明する。なお、本実施形態では、本発明の「テレビジョン装置」の一例である液晶テレビジョン装置１に本発明を適用した場合について説明する。
【００１８】
本発明の一実施形態による液晶テレビジョン装置１は、図１に示すように、液晶テレビジョン装置本体１１と、映像を表示する液晶パネルからなる表示部１２と、リモコン（図示せず）から発信されたリモコン信号を受信するリモコンセンサ１３と、液晶テレビジョン装置本体１１の周りの明るさを検出可能な照度センサ１４とを備えている。なお、液晶テレビジョン装置本体１１は、本発明の「テレビジョン装置本体」の一例であり、照度センサ１４は、本発明の「光検知部」の一例である。また、液晶テレビジョン装置１は、図２に示すように、液晶テレビジョン装置１の制御を司る制御部１５と、テレビ信号を受信する受信部１６と、映像処理部１７と、音声処理部１８と、時刻検出部１９と、電源制御部２０と、スピーカ２１と、記憶部２２とを備えている。
【００１９】
表示部１２は、図示しないバックライトにより、照度センサ１４により検出された液晶テレビジョン装置本体１１の周りの明るさに対応した明るさで映像を表示することが可能なように構成されている。
【００２０】
照度センサ１４は、液晶テレビジョン装置本体１１が設置された部屋の照明の明るさを検知するように構成されている。この照度センサ１４は、上述した液晶テレビジョン装置本体１１の周りの明るさに対応した明るさで表示部１２に映像を表示させるため、および、後述する液晶テレビジョン装置本体１１をオン状態またはオフ状態に切り替える制御を行うために設けられている。また、照度センサ１４は、図１に示すように、液晶テレビジョン装置本体１１の正面の表示部１２の下方に配置されている。
【００２１】
映像処理部１７は、図２に示すように、受信部１６により受信した放送信号に含まれる映像データの処理を行う機能を有する。音声処理部１８は、受信部１６により受信した放送信号に含まれる音声データの処理を行う機能を有する。時刻検出部１９は、時計の機能を有しており、現在時刻を制御部１５に通知するように構成されている。
【００２２】
また、電源制御部２０は、液晶テレビジョン装置本体１１をオン状態またはオフ状態に切り替える機能を有する。スピーカ２１は、音声処理部１８により処理された音声を出力するために設けられている。
【００２３】
また、記憶部２２は、液晶テレビジョン装置本体１１の周りの明るさに基づいて液晶テレビジョン装置本体１１をオンまたはオフ状態からオフまたはオン状態に切り替える時間を記憶するように構成されている。この液晶テレビジョン装置本体１１の周りの明るさに基づいてオン状態またはオフ状態に切り替える時間は、ユーザの操作に基づいて設定することが可能である。また、記憶部２２は、液晶テレビジョン装置本体１１をオン状態またはオフ状態に切り替える明るさを記憶するように構成されている。また、記憶部２２には、液晶テレビジョン装置本体１１の周りの明るさに対応した明るさで表示部１２に映像を表示させるためのデータが予め記憶されている。
【００２４】
ここで、本実施形態では、制御部１５は、照度センサ１４により検出された明るさに基づいて、液晶テレビジョン装置本体１１をオン状態からオフ状態に切替可能に制御するように構成されている。具体的には、制御部１５は、ユーザにより液晶テレビジョン装置本体１１をオン状態からオフ状態に切り替えるように設定された時間内で、かつ、照度センサ１４により検知された明るさが所定の明るさよりも暗くなった場合に、液晶テレビジョン装置本体１１をオン状態からオフ状態に切り替えるように構成されている。この所定の明るさは、液晶テレビジョン装置本体１１が設置されている部屋の照明の明るさである。つまり、制御部１５は、ユーザにより設定された時間内で、かつ、照度センサ１４により検知された部屋の照明の明るさが部屋の照明を消灯した場合の明るさになった場合に、液晶テレビジョン装置本体１１をオン状態からオフ状態に切り替える制御を行うように構成されている。
【００２５】
また、本実施形態では、制御部１５は、照度センサ１４により検出された明るさに基づいて、液晶テレビジョン装置本体１１をオフ状態からオン状態に切替可能に制御するように構成されている。具体的には、制御部１５は、ユーザにより液晶テレビジョン装置本体１１をオフ状態からオン状態に切り替えるように設定された時間内で、かつ、照度センサ１４により検知された明るさが上述した所定の明るさよりも明るくなった場合に、液晶テレビジョン装置本体１１をオフ状態からオン状態に切り替えるように構成されている。
【００２６】
また、制御部１５は、照度センサ１４により検出された液晶テレビジョン装置本体１１の周りの明るさが上記所定の明るさよりも明るい範囲内で変化した場合に、液晶テレビジョン装置本体１１の周りの明るさに基づいて表示部１２の輝度を調整する制御を行うように構成されている。
【００２７】
また、本実施形態では、液晶テレビジョン装置１は、映画用の画質で表示部１２に映像を表示可能な映画用画質モードに設定可能に構成されている。制御部１５は、映画用画質モードに設定されている場合には、照度センサ１４により検知された明るさが上記所定の明るさよりも暗くなった場合にも、液晶テレビジョン装置本体１１をオン状態からオフ状態に切り替える制御を行わないように構成されている。
【００２８】
次に、図２〜図６を参照して、本発明の一実施形態による液晶テレビジョン装置本体１１をオンまたはオフ状態からオフまたはオン状態に切り替える時間を設定する手順について説明する。
【００２９】
まず、図３に示すように、ユーザによるリモコン操作に基づいて、メニュー画面１２ａが表示部１２（図２参照）に表示される。メニュー画面１２ａには、液晶テレビジョン装置１の初期設定を行う初期設定キー１２ｂ、表示部１２に表示される映像の画質などの設定を行うための画面設定キー１２ｃおよび液晶テレビジョン装置本体１１をオンまたはオフ状態に移行する設定を行うための機器設定キー１２ｄが表示される。そして、ユーザによるリモコン操作に基づいて、機器設定キー１２ｄが選択および決定された場合には、機器設定画面１２ｅ（図４参照）が表示部１２に表示される。
【００３０】
機器設定画面１２ｅには、図４に示すように、液晶テレビジョン装置本体１１（図２参照）をオン状態にする時間を設定するオンタイマー設定キー１２ｆ、液晶テレビジョン装置本体１１をオフ状態にする時間を設定するオフタイマー設定キー１２ｇおよび電源設定キー１２ｈが表示される。電源設定キー１２ｈは、照度センサ１４により検出された明るさに基づいて、液晶テレビジョン装置本体１１をオンまたはオフ状態からオフまたはオン状態に切り替える時間を設定するためのキーである。そして、ユーザによるリモコン操作に基づいて、電源設定キー１２ｈが選択および決定された場合には、電源設定画面１２ｉ（図５参照）が表示部１２に表示される。
【００３１】
電源設定画面１２ｉには、図５に示すように、照度センサ１４により検出された明るさに連動して、液晶テレビジョン装置本体１１をオンまたはオフ状態からオフまたはオン状態に切り替える連動キー１２ｊ、および、液晶テレビジョン装置本体１１をオンまたはオフ状態からオフまたはオン状態に切り替えるのを停止する連動停止キー１２ｋが表示される。そして、ユーザによるリモコン操作に基づいて、連動キー１２ｊが選択および決定された場合には、時間設定画面１２ｌ（図６参照）が表示部１２に表示される。また、ユーザによるリモコン操作に基づいて、連動停止キー１２ｋが選択および決定された場合には、照度センサ１４により検出された明るさに連動して、液晶テレビジョン装置本体１１をオンまたはオフ状態からオフまたはオン状態に切り替える制御が停止される（行われない）。
【００３２】
また、図６に示すように、時間設定画面１２ｌには、照度センサ１４により検出された明るさに連動して、液晶テレビジョン装置本体１１をオンまたはオフ状態からオフまたはオン状態に切り替える時間帯を設定するための入力欄１２ｍが表示される。そして、ユーザによるリモコン操作に基づいて、入力欄１２ｍに連動する時間が入力された場合には、入力された時間帯が記憶部２２に記憶される。また、本実施形態では、入力欄１２ｍは、オン状態からオフ状態に切り替える時間およびオフ状態からオン状態に切り替える時間を共通に設定する欄である。これにより、入力された時間帯において照度センサ１４により検出された明るさに連動して、液晶テレビジョン装置本体１１をオンまたはオフ状態からオフまたはオン状態に切り替える制御を行うことが可能となる。
【００３３】
次に、図２および図５〜図７を参照して、本発明の一実施形態による液晶テレビジョン装置本体１１がオン状態である場合における、明るさに応じて液晶テレビジョン装置本体１１をオフ状態に切り替える際の処理フローについて説明する。
【００３４】
まず、図７に示すように、ステップＳ１において、制御部１５（図２参照）により、上記した電源設定（図５参照）が部屋の明るさに連動しているか否かが判断される。すなわち、ステップＳ１において、照度センサ１４により検出された明るさに基づいて、液晶テレビジョン装置本体１１をオンまたはオフ状態からオフまたはオン状態に切り替える時間が設定されているか否かが判断される。そして、ステップＳ１において、上記した電源設定が部屋の明るさに連動していないと判断された場合には、液晶テレビジョン装置本体１１がオン状態のまま、明るさに応じて液晶テレビジョン装置本体１１をオフ状態に切り替える際の処理フローが終了する。また、ステップＳ１において、上記した電源設定が部屋の明るさに連動していると判断された場合には、ステップＳ２に進む。
【００３５】
その後、ステップＳ２において、制御部１５により、部屋の明るさが変化したか否かが判断される。すなわち、ステップＳ２において、照度センサ１４により検出された明るさが変化したか否かが判断される。そして、ステップＳ２において、部屋の明るさが変化したと判断された場合には、ステップＳ３に進む。なお、部屋の明るさが変化したと判断されるまで、ステップＳ２の判断が繰り返される。
【００３６】
その後、ステップＳ３において、制御部１５により、部屋の明るさが所定の明るさよりも暗いか否かが判断される。そして、ステップＳ３において、部屋の明るさが所定の明るさよりも明るいと判断された場合には、ステップＳ４に進む。そして、ステップＳ４において、液晶テレビジョン装置本体１１がオフ状態に切り替えられずに、部屋の明るさ（液晶テレビジョン装置本体１１の周りの明るさ）に対応する表示部１２の輝度調整処理が行われる。また、ステップＳ３において、部屋の明るさが所定の明るさよりも暗いと判断された場合には、ステップＳ５に進む。
【００３７】
そして、ステップＳ５において、制御部１５により、時間設定画面１２ｌ（図６参照）において設定された時間内であるか否かが判断される。そして、ステップＳ５において、設定された時間内であると判断された場合には、ステップＳ６に進む。なお、設定された時間内であると判断されるまで、ステップＳ５の判断が繰り返される。そして、ステップＳ６において、制御部１５により、部屋の明るさが所定の明るさよりも暗いままか否かが判断される。そして、ステップＳ６において、部屋の明るさが所定の明るさよりも明るくなったと判断された場合には、ステップＳ２に戻る。また、ステップＳ６において、部屋の明るさが所定の明るさよりも暗いままであると判断された場合には、ステップＳ７に進む。
【００３８】
その後、ステップＳ７において、制御部１５により、映画用画質モードに設定されているか否かが判断される。そして、ステップＳ７において、映画用画質モードに設定されていると判断された場合には、ステップＳ２に戻る。また、ステップＳ７において、映画用画質モードに設定されていないと判断された場合には、ステップＳ８に進む。そして、ステップＳ８において、液晶テレビジョン装置本体１１をオフ状態に切り替えた後、明るさに応じて液晶テレビジョン装置本体１１をオフ状態に切り替える際の処理フローが終了する。
【００３９】
次に、図２、図５、図６および図８を参照して、本発明の一実施形態による液晶テレビジョン装置本体１１がオフ状態である場合における、明るさに応じて液晶テレビジョン装置本体１１をオン状態に切り替える際の処理フローについて説明する。
【００４０】
なお、ステップＳ１１およびＳ１２の処理は、それぞれ、上述したステップＳ１およびＳ２の処理と同様であるため、その説明を省略する。
【００４１】
ステップＳ１２において部屋の明るさが変化したと判断された場合には、ステップＳ１３において、制御部１５により、部屋の明るさが所定の明るさよりも明るいか否かが判断される。そして、ステップＳ１３において、部屋の明るさが所定の明るさよりも暗いと判断された場合には、液晶テレビジョン装置本体１１がオフ状態のまま、明るさに応じて液晶テレビジョン装置本体１１をオン状態に切り替える際の処理フローが終了する。また、ステップＳ１３において、部屋の明るさが所定の明るさよりも明るいと判断された場合には、ステップＳ１４に進む。
【００４２】
そして、ステップＳ１４において、制御部１５により、時間設定画面１２ｌ（図６参照）において設定された時間内であるか否かが判断される。そして、ステップＳ１４において、設定された時間内であると判断された場合には、ステップＳ１５に進む。なお、設定された時間内であると判断されるまで、ステップＳ１４の判断が繰り返される。そして、ステップＳ１５において、制御部１５により、時間設定画面１２ｌ（図６参照）において部屋の明るさが所定の明るさよりも明るいままか否かが判断される。そして、ステップＳ１５において、部屋の明るさが所定の明るさよりも暗くなったと判断された場合には、ステップＳ１２に戻る。また、ステップＳ１５において、部屋の明るさが所定の明るさよりも明るいままであると判断された場合には、ステップＳ１６に進む。
【００４３】
その後、ステップＳ１６において、液晶テレビジョン装置本体１１をオン状態に切り替えた後、明るさに応じて液晶テレビジョン装置本体１１をオン状態に切り替える際の処理フローが終了する。
【００４４】
本実施形態では、上記のように、照度センサ１４により検出された明るさに基づいて液晶テレビジョン装置本体１１のオン状態とオフ状態とを切替可能に制御する制御部１５を設けるとともに、液晶テレビジョン装置本体１１のオン状態とオフ状態とを切り替える時間設定を行うことが可能なように構成することによって、ユーザが液晶テレビジョン装置本体１１のオン状態とオフ状態とを切り替える時間設定を行った場合には、設定された時間以外の時間で照度センサ１４により検出された明るさが変化した場合にも、液晶テレビジョン装置本体１１のオン状態とオフ状態とが切り替わることがないので、ユーザの意図に反して、液晶テレビジョン装置本体１１が自動的にオフにされるのを抑制することができる。
【００４５】
また、本実施形態では、上記のように、液晶テレビジョン装置本体１１のオン状態とオフ状態とを切り替えるように設定された時間内で、かつ、照度センサ１４により検知された明るさが所定の明るさよりも暗くなった場合に、液晶テレビジョン装置本体１１をオン状態からオフ状態に切り替えることによって、ユーザにより設定された時間内であれば、夜間の消灯時や外出の際にシャッターを閉じた場合などに所定の明るさよりも暗くなると、ユーザが液晶テレビジョン装置本体１１をオン状態からオフ状態に切り替える操作を行わなくても、自動的に液晶テレビジョン装置本体１１をオン状態からオフ状態に切り替えることができる。
【００４６】
また、本実施形態では、上記のように、照度センサ１４により検知された部屋の照明の明るさが部屋の照明を消灯した場合の明るさになった場合に、液晶テレビジョン装置本体１１をオン状態からオフ状態に切り替える制御を行うことによって、ユーザにより設定された時間内であれば、ユーザが部屋の照明を消灯した際に、部屋の明るさの変化に応じて、自動的に液晶テレビジョン装置本体１１をオン状態からオフ状態に切り替えることができる。
【００４７】
また、本実施形態では、上記のように、照度センサ１４により検知された明るさが所定の明るさよりも明るい場合に、液晶テレビジョン装置本体１１をオフ状態からオン状態に切り替えることによって、夜間に帰宅した場合に、室内の照明を点灯させることにより、ユーザが液晶テレビジョン装置本体１１をオフ状態からオン状態に切り替える操作を行うことなく、自動的に液晶テレビジョン装置本体１１をオフ状態からオン状態に切り替えることができる。
【００４８】
また、本実施形態では、上記のように、照度センサ１４により検出された液晶テレビジョン装置本体１１の周りの明るさが所定の明るさよりも明るいと判断した場合に、液晶テレビジョン装置本体１１をオン状態からオフ状態に切り替えずに、照度センサ１４により検出された液晶テレビジョン装置本体１１の周りの明るさに基づいて表示部１２の輝度を調整する制御を行うことによって、液晶テレビジョン装置本体１１のオン状態とオフ状態とを切り替える制御、および、表示部１２の輝度を調整する制御の両方を共通の照度センサ１４を用いて行うことができるので、従来から存在する表示部１２の輝度を調整する際に用いる照度センサ１４を液晶テレビジョン装置本体１１のオン状態とオフ状態とを切り替える際にも用いることができる。その結果、これらの制御をそれぞれ別個の明るさセンサを用いて行う場合と比べて、部品点数が増加するのを抑制することができる。
【００４９】
また、本実施形態では、上記のように、映画用画質モードに設定されている場合には、照度センサ１４により検知された明るさが所定の明るさよりも暗くなった場合にも、液晶テレビジョン装置本体１１をオン状態からオフ状態に切り替える制御を行わないことによって、暗い室内において映画用画質モードで映画コンテンツを視聴する場合に、ユーザの意図に反して、液晶テレビジョン装置本体１１がオン状態からオフ状態に切り替えられるのを防止することができる。
【００５０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５１】
たとえば、上記実施形態では、本発明のテレビジョン装置の一例としての液晶テレビジョン装置に本発明を適用した例について示したが、本発明はこれに限られない。本発明では、テレビジョン装置であれば、たとえば、プラズマテレビジョン装置および有機ＥＬテレビジョン装置などの液晶テレビジョン装置以外のテレビジョン装置に本発明を適用してもよい。
【００５２】
また、上記実施形態では、明るさセンサを液晶テレビジョン装置本体の正面の表示部の下方に配置した例について示したが、本発明はこれに限られない。本発明では、明るさセンサを、液晶テレビジョン装置本体の正面の表示部の下方以外の位置に配置してもよい。
【００５３】
また、上記実施形態では、液晶テレビジョン装置本体をオンまたはオフ状態からオフまたはオン状態に切り替えるための光検知部として、液晶テレビジョン装置本体の周りの明るさに対応させて輝度を調整するための照度センサを用いた例について示したが、本発明はこれに限られない。本発明では、液晶テレビジョン装置本体をオンまたはオフ状態からオフまたはオン状態に切り替えるための光検知部と、輝度を調整するための光検知部とをそれぞれ別個に設けるようにしてもよい。
【００５４】
また、上記実施形態では、液晶テレビジョン装置本体をオン状態からオフ状態に切り替える時間帯とオフ状態からオン状態に切り替える時間帯とを共通に設定する例について示したが、本発明はこれに限られない。本発明では、液晶テレビジョン装置本体をオン状態からオフ状態に切り替える時間帯とオフ状態からオン状態に切り替える時間帯とを別々に設定するようにしてもよい。
【符号の説明】
【００５５】
１  液晶テレビジョン装置（テレビジョン装置）
１１  液晶テレビジョン装置本体（テレビジョン装置本体）
１２  表示部
１４  照度センサ（光検知部）
１５  制御部
【図１】
2012175114.tif 000003
【図２】
2012175114.tif 000004
【図３】
2012175114.tif 000005
【図４】
2012175114.tif 000006
【図５】
2012175114.tif 000007
【図６】
2012175114.tif 000008
【図７】
2012175114.tif 000009
【図８】
2012175114.tif 000010